(57)【特許請求の範囲】
【請求項１】
扉に設備される施解錠機構のサムターン装置において、
一端部側を施解錠機構に連結し、回転駆動させることによって当該施解錠機構を施解錠させることができるシャフトと、
サムターンに固着した前記シャフトの他端部側に回転自在に設けた固定側クラッチ部と、前記シャフトと回転方向で連結させると共に、シャフト軸方向に移動可能とした可動側クラッチ部とからなるクラッチ部材と、
前記可動側クラッチ部に移動勢力を与えて前記固定側クラッチ部にクラッチ連結させるばね部材と、
前記シャフトと同心的に配設して回動自在とし、一方向の回動操作による旋回動作にしたがって、前記可動側クラッチ部をばね力に抗してシャフト軸心方向に移動させて前記固定側クラッチ部に対してクラッチ非連結とする操作部材とを設け、
前記操作部材の一方向の回動操作により前記クラッチ部材を非連結としてサムターンを空転させ防犯状態とし、前記操作部材を他方向に回動操作し、前記クラッチ部材をばね力で連結させてサムターンによる施解錠を自在とする構成としたことを特徴とするサムターン装置。
【請求項２】
請求項１に記載したサムターン装置において、
前記クラッチ部材を非連結に移行させたとき前記操作部材を係止し、クラッチ連結操作を阻止するロックボタンを設け、かつ、このロックボタンは手動操作によって操作部材の係止解除が可能な構成となっていることを特徴とするサムターン装置。
【請求項３】
請求項１又は２に記載したサムターン装置において、
前記シャフトの他端部側と前記固定側クラッチ部との一方に突出勢力を与えた突出部材を、その他方には、前記突出部材が係脱する係合凹部を各々設け、
前記クラッチ部材が非連結時においてもサムターンが前記突出部材と係合凹部との係合によって扉外からの施解錠操作に連動して回転する構成としたことを特徴とするサムターン装置。
【請求項４】
請求項１〜３のいずれかに記載したサムターン装置において、
前記操作部材は、前記シャフトと同心的に配設して回転自在としたリング状部と、このリング状部に設けた隆起部とを有し、
さらに、前記操作部材と前記可動側クラッチ部との間には、非回動として配設したクラッチリングを設けると共に、このクラッチリングには、前記操作部材の隆起部によって押動される押動部と非押動部とを設け、
操作部材の回動操作による前記隆起部の旋回により押動されたクラッチリングが可動側クラッチ部を移動駆動し、クラッチ非連結に移行させる構成としたことを特徴とするサムターン装置。
【発明の詳細な説明】
【技術分野】
【０００１】
本発明は、建物などの扉に設備される施解錠機構のサムタ−ン装置に関し、詳しくは、サムタ−ンの不正操作による解錠を防止することができるサムタ−ン装置に係る。
【背景技術】
【０００２】
住宅などの扉に装備されている施解錠機構は、扉外からキ−を使って施解錠することができるシリンダ−の他に、扉内から施解錠することができるサムタ−ンを備えたものが多い。
【０００３】
しかし、このような施解錠機構は、サムタ−ンが扉外から不正に回転操作されて解錠されてしまうことがある。
例えば、明かり採り窓のある扉の場合は、その窓を壊わし、また、扉に孔をあけたりしてそこから手を扉内に差し入れたり、或いは、特殊な器具を差し入れてサムタ−ンを回転させ不正に解錠されてしまうことがあった。
【０００４】
そこで、現今では、サムタ−ンの回転操作による不正な解錠を防ぐ防犯機能付きの各種のサムタ−ン装置を備えた施解錠機構が提案されている。
【０００５】
例えば、サムタ−ンを着脱自在とし、施錠した状態でサムタ−ンを取り外しておくことにより、不正解錠を防止した施解錠機構が提案されている。
【０００６】
この施解錠機構は、扉の内側から施錠する場合は、サムタ−ンを回転して施錠した後にサムタ−ンを取り外しておく。
また、外出するときは、サムタ−ンを取り外して扉を閉め、その後、扉の外側からキ−を使って施錠する。
【０００７】
その他に、ダイヤルノブを有し、このダイヤルノブを目盛合せしないかぎりサムタ−ンを空転させるようにして防犯状態とし、目盛り合せしたダイヤルノブを引っ張り操作することでサムタ−ンによる施解錠を自在とする通常状態とした施解錠機構が提案されている。
【０００８】
サムタ−ンが着脱自在な上記の施解錠機構は、高い防犯機能を有するが、しかし、取り外したサムタ−ンを紛失したり、置いた場所を忘れてしまうことがある等の問題がある。
具体的には、扉内から施錠してサムタ−ンを取り外したが、この後、サムタ−ンを見失ってしまったときには、扉内から解錠することができず、室内に閉じ込められた状態となり、火災などが起きたときに極めて危険な状態となる。
【０００９】
ダイヤルノブを有する上記の施解錠機構は、ダイヤルノブの目盛り合せが必要となるため、防犯機能が確実であるが、しかし、防犯機能を解除して正規に解錠する場合でも、ダイヤルノブの目盛り合せ操作が必要となるため、使い勝手が悪い上に即応性が悪い。
【００１０】
また、目盛り合せする数字を忘れてしまったときなどには、防犯機能を解除することができないから、室内から正規に解錠することができず、火災などが起こったときには上記同様に危険な状態となる。
【００１１】
【特許文献１】特開２００３−２１３９７５号公報
【特許文献２】特開２００４−３３２３５１号公報
【発明の開示】
【発明が解決しようとする課題】
【００１２】
本発明は上記したところの施解錠機構のサムタ−ン装置について、構成が簡単で操作性がよく、防犯性の高いサムタ−ン装置を提供することを目的とする。
【課題を解決するための手段】
【００１３】
上記した目的を達成するため、本発明では、第１の発明として、扉に設備される施解錠機構のサムターン装置において、一端部側を施解錠機構に連結し、回転駆動させることによって当該施解錠機構を施解錠させることができるシャフトと、サムターンに固着した前記シャフトの他端部側に回転自在に設けた固定側クラッチ部と、前記シャフトと回転方向で連結させると共に、シャフト軸方向に移動可能とした可動側クラッチ部とからなるクラッチ部材と、前記可動側クラッチ部に移動勢力を与えて前記固定側クラッチ部にクラッチ連結させるばね部材と、前記シャフトと同心的に配設して回動自在とし、一方向の回動操作による旋回動作にしたがって、前記可動側クラッチ部をばね力に抗してシャフト軸心方向に移動させて前記固定側クラッチ部に対してクラッチ非連結とする操作部材とを設け、前記操作部材の一方向の回動操作により前記クラッチ部材を非連結としてサムターンを空転させ防犯状態とし、前記操作部材を他方向に回動操作し、前記クラッチ部材をばね力で連結させてサムターンによる施解錠を自在とする構成としたことを特徴とするサムターン装置を提案する。
【００１４】
第２の発明としては、上記した第１の発明のサムタ−ン装置において、前記クラッチ部材を非連結に移行させたとき前記操作部材を係止し、クラッチ連結操作を阻止するロックボタンを設け、かつ、このロックボタンは手動操作によって操作部材の係止解除が可能な構成となっていることを特徴とするサムタ−ン装置を提案する。
【００１５】
第３の発明としては、上記した第１又は第２発明のサムタ−ン装置において、前記シャフトの他端部側と前記固定側クラッチ部との一方に突出勢力を与えた突出部材を、その他方には、前記突出部材が係脱する係合凹部を各々設け、前記クラッチ部材が非連結時においてもサムタ−ンが前記突出部材と係合凹部との係合によって扉外からの施解錠操作に連動して回転する構成としたことを特徴とするサムタ−ン装置を提案する。
【００１６】
第４の発明としては、上記した第１〜第３の発明のいずれかの発明のサムタ−ン装置において、前記操作部材は、前記シャフトと同心的に配設して回転自在としたリング状部と、このリング状部に設けた隆起部とを有し、さらに、前記操作部材と前記可動側クラッチ部との間には、非回動として配設したクラッチリングを設けると共に、このクラッチリングには、前記操作部材の隆起部によって押動される押動部と非押動部とを設け、操作部材の回動操作による前記隆起部の旋回により押動されたクラッチリングが可動側クラッチ部を移動駆動し、クラッチ非連結に移行させる構成としたことを特徴とするサムタ−ン装置を提案する。
【発明の効果】
【００１７】
第１の発明のサムタ−ン装置は、クラッチを非連結とする操作部材の操作により、通常モ−ドから防犯モ−ドに簡単に切換えることができる。
【００１８】
すなわち、操作部材を操作すると、可動側クラッチ部がばね力に抗して移動し、クラッチ部材が非連結となり、サムタ−ンとシャフトの連動系が遮断される。
したがって、サムタ−ンの回転操作がシャフトには伝達されず、サムタ−ンが空転する防犯モ−ドとなる。
【００１９】
なお、クラッチ部材の連結を許すように操作部材を操作すると、可動側クラッチ部がばね力によって移動し、固定側クラッチ部にクラッチ連結する。
したがって、サムタ−ンとシャフトとがクラッチ部材を介して連動され、サムタ−ンの回転操作によって施解錠機構の施解錠が自在となる。
【００２０】
第２の発明のサムタ−ン装置は、操作部材の操作によってクラッチ部材を非連結としたとき、この操作部材を係止するロックボタンを設け、このロックボタンを手動操作しないかぎり、クラッチ非連結状態、つまり、防犯モ−ドが解除されないようになっている。
【００２１】
言い換えれば、防犯モ−ドとなっている場合は、ロックボタンの操作と、操作部材の操作との２操作によって通常モ−ドに切換わることから、扉外からのサムタ−ン操作による不正解錠が確実に防止される。
【００２２】
第３の発明のサムタ−ン装置は、シャフトの他端部側と固定側クラッチ部とが突出勢力を与えた突出部材と係合凹部との係合によって連繋される。
したがって、防犯モ−ドでは、サムタ−ンを回転させると、上記した突出部材が係合凹部を脱係し、サムタ−ンが空転する。
【００２３】
すなわち、上記突出部材と係合凹部との係合は、サムタ−ンとシャフトを連繋するが、シャフト負荷に対して上記した突出部材と係合凹部との係合負荷が遙かに小さいため、突出部材が脱係してサムタ−ンが空転する。
【００２４】
一方、防犯モ−ドにおいて、扉外からキ−などを使って施解錠機構を施解錠すると、上記した突出部材と係合凹部との連繋によってサムタ−ンが回転する。
すなわち、扉外からの施錠又は解錠にしたがってサムタ−ンが回転するため、サムタ−ンの回転位置によって施錠状態と解錠状態との判別が可能になる。
【００２５】
なお、防犯モ−ドとなっている場合、サムタ−ンを回転停止したとき、上記した突出部材が係合凹部に係合しているとは限らない。
しかし、突出部材が係合していないときは、サムタ−ンを回転すれば、突出部材と係合凹部との係合によって節度感があるので、その節度感とサムタ−ンの回転位置より施錠状態か解錠状態かを判別することができる。
【００２６】
第４の発明のサムタ−ン装置は、操作部材と可動側クラッチ部との間にクラッチリングを設け、このクラッチリングが操作部材の隆起状部によって押動して可動側クラッチ部をクラッチ非連結に移行させるようになっている。
【００２７】
このように構成したサムタ−ン装置は、操作部材によるクラッチ部材の連結と非連結の切換機構が簡単となる。
【発明を実施するための最良の形態】
【００２８】
次に、本発明の一実施形態について図面に沿って説明する。
図１は防犯モ−ドにセットされたサムタ−ン装置の正面図、図２は同サムタ−ン装置の側面図、図３は図１上のＡ−Ａ線拡大断面図、図４はベ−スと可動側クラッチを取り外し、シャフトを断面して示した同サムタ−ン装置の拡大背面図である。
【００２９】
このサムタ−ン装置１０は、取付孔１１、１２に差し入れた取付ねじを扉面にねじ込むようにして扉内面に取付ける。
なお、サムタ−ン装置１０を扉に取付ける場合、サムタ−ン装置１０の背面側に突出させたシャフト１３を施解錠機構のデッドボルト駆動部（カム部）に連結する。
【００３０】
施解錠機構には、キ−シリンダ−を有するシリンダ−錠の他に、無線信号を利用して施解錠する電子錠などがあるが、本実施形態では、扉外からキ−を使って施解錠することができるシリンダ−錠が扉に設備されているものとする。
【００３１】
広く知られている通り、シリンダ−錠は、キ−を使ってシリンダ−を回転させるデッドボトル駆動部が駆動され、デッドボルトが進退し、施錠又は解錠される。
サムタ−ン１４を回転操作し、シャフト１３を回転駆動させた場合も同様であって、デッドボルトが進退し、施錠又は解錠する。
【００３２】
さて、本実施形態のサムタ−ン装置１０は、図示するように、ねじ１５によってサムタ−ン１４に固着した固定側クラッチ部１６と、シャフト１３に非回転として摺動自在にした可動側クラッチ部１７とからなるクラッチ部材が備えてある。
なお、図１〜図４は、防犯モ−ドとしたサムタ−ン装置を示す。
【００３３】
上記した固定側クラッチ部１６は、図５に示す分解斜視図より分かる通り、フランジ部１６ａを設けた軸筒部１６ｂと、フランジ部１６ａから下筒部１６ｃ周囲の４方位置に張出させたクラッチ片部１６ｄとより形成してある。
【００３４】
この固定側クラッチ部１６は、図３に示した通り、その軸筒部１６ｂがカバ−１８の軸筒部１８ａによって回転自在に軸受けされ、また、クラッチ片部１６ｄがクラッチリング１９内に配設されるようになっている。
【００３５】
上記した可動側クラッチ部１７は、図５の分解斜視図に示すように、シャフト１３を軸挿させた筒状体であって、この内面の４方位置にはクラッチ凹部１７ａを設け、また、同内面のクラッチ凹部間となる４方位置にはシャフト１３の摺動凹溝１７ｂが形成してある。
【００３６】
この可動側クラッチ部１７は、その摺動凹溝１７ｂにシャフト１３の摺動凸部１３ａ（図５参照）が嵌合している。
つまり、可動側クラッチ部１７は、摺動凹溝１７ｂに嵌合した摺動凸部１３ａを移動軸としてシャフト１３の軸心方向に移動自在とし、シャフト１３の軸心周り方向には回転しないようにしてある。
【００３７】
上記の可動側クラッチ部１７が、固定側クラッチ部１６から離れた方向に移動した図３に示す動作状態は、クラッチ部材が非連結となった防犯モ−ドの状態であり、この防犯モ−ドではサムタ−ン１４が空転状態となる。
【００３８】
すなわち、サムタ−ン１４を回転した場合、固定側クラッチ部１６がサムタ−ン１４と一体的に回転し、可動側クラッチ部１７が回転しない。
したがって、シャフト１３が回転しないことから、施解錠機構が施解錠しない。
【００３９】
なお、可動側クラッチ部１７が固定側クラッチ部１６に接近するように移動すると、クラッチ片部１６ｄがクラッチ凹部１７ａに突入しクラッチ部材の連結となる。
この場合は、後述するように通常モ−ドとなり、サムタ−ン１４の回転操作によって施解錠機構が施解錠する。
【００４０】
次に、上記したクラッチ部材の連結と非連結の切換構成について説明する。
クラッチ部材の切換えは、切換レバ−２０を旋回操作して行なう。
【００４１】
すなわち、切換レバ−２０の一端部に取付けた切換ノブ２０ａを図１に示すように旋回操作することでクラッチ部材が非連結となり防犯モ−ド、切換ノブ２０ａをその防犯モ−タの位置からθ角（例えば、６０度）旋回させた図１１に示す状態でクラッチ部材が連結して通常モ−ドとなる。
【００４２】
切換レバ−２０は、図３に示すように、固定側クラッチ部１６のフランジ部１６ａとカバ−１８との間に配設してあり、そのリング板部２０ｂがカバ−１８の軸筒部１８ａにより軸受けされ、旋回自在となっている。
【００４３】
この切換レバ−２０は、図５に示す分解斜視図より分かる如く、リング板部２０ｂから一方側に延設した細長レバ−２０ｃの先端部に切換ノブ２０ａがねじ止めしてあり、また、その細長レバ−２０ｃにはクリック機構を構成する腕レバ−２０ｄが両側方向に向かって延設してある。
【００４４】
この腕レバ−２０ｄには、小孔２１ａ、２１ｂを設け、これらの小孔２１ａ、２１ｂとカバ−１８に設けた小球２２とでクリック機構を構成し、切換ノブ２０ａが防犯モ−ド位置と通常モ−ド位置とに操作されたときに節度感をもたせるようにしてある。
なお、小球２２は図３に示した如く、ばね力によって突出勢力が与えてある。
【００４５】
また、切換レバ−２０のリング板部２０ｂには、図５に示してある通り、下方向に突出させた隆起部２０ｅが三等分位置に形成してある。
これら隆起部２０ｅは、切換レバ−２０の旋回にしたがって、クラッチリング１９を押動するように作用する。
【００４６】
さらに、切換レバー２０には、図５に示したように、リング板部２０ｂより他方側に突設した係止片部２０ｆが設けてある。
この係止片部２０ｆがロックボタン２３によって係止されることで、切換レバー２０が防犯モードの位置にロックされる。
【００４７】
さらに、上記したクラッチリング１９は、可動側クラッチ部１７と切換レバ−２０のリング板部２０ｂとの間に配設したリング状体で、図５の分解斜視図より分かるように、その周囲２部所には回転止片部１９ａが設けてあり、このクラッチリング１９が非回転のままでシャフト１３の軸心方向に移動するようになっている。
なお、上記した回転止片部１９ａは、図４に示したように、ベ−ス２４に形成したガイド部２４ａを摺動する。
【００４８】
また、このクラッチリング１９の内周縁３等分位置には、円内向きに突出させた押動部１９ｂが設けてあり、切換レバ−２０の隆起部２０ｅがその押動部１９ｂに乗り上がることで、クラッチリング１９を可動側クラッチ部１７の方向に押動する。
さらに、押動部１９ｂの一端部側に形成したテ−パ−面は隆起部２０ｅの乗り上げを助勢するためのものである。
【００４９】
なお、上記の隆起部２０ｅがクラッチリング１９の切込部１９ｃに入り込むように切換レバ−２０が旋回されると、このクラッチリング１９が切換レバ−２０方向に移動する。
すなわち、クラッチリング１９が可動側クラッチ部１７と共にクラッチばね２５のばね力を受けて切換レバ−２０方向に移動し、クラッチ部材が連結する。
【００５０】
上記したロックボタン２３は、図３より分かるように、ケ−ス２４に設けた挿入孔２４ｂに進退自在に内装すると共に、ロックばね２６によって進出勢力を与え、そのヘッド部２３ａをカバ−１８に被せたキャップ２７より突出させてある。
【００５１】
このロックボタン２３には、図５に示したように、テ−パ−面２３ｃを有する係止部２３ｂを設け、この係止部２３ｂによって切換レバ−２０の係止片部２０ｆを係止し、切換レバ−２０を防犯モ−ド位置でロックする。
【００５２】
図６はロックボタン２３のロック動作を示す説明図である。
図６（Ａ）は、切換レバ−２０を通常モ−ド位置から防犯モ−ド位置に旋回させる動作過程を示し、この場合は、係止片部２０ｆが係止部２３ｂのテ−パ−面２３ｃを押し下げながら図示矢印２８ａ方向に進むため、ロックボタン２３がロックばね２６のばね力に抗して図示矢印２８ｂ方向に進退する。
これより、切換レバ−２０を防犯モ−ド位置に旋回させる場合はロックボタン２３を操作する必要がない。
【００５３】
図６（Ｂ）は、切換レバ−２０が防犯モ−ド位置でロックされた状態を示す。
この場合には、係止片部２０ｆがロックボタン２３の係止部２３ｂに当接するため、切換レバ−２０が図示矢印２８ｃ方向、つまり、通常モ−ド位置への旋回が阻止される。
【００５４】
図６（Ｃ）は、ロックボタン２３のロックを解除した状態を示す。
すなわち、ロックボタン２３を押圧操作して図示矢印２８ｄ方向に後退させると、係止部２３ｂによる係止片部２０ｆの係止が解除されるため、係止片部２０ｆが図示矢印２８ｅ方向に移動可能になり、切換レバ−２０を防犯モ−ド位置から通常モ−ド位置に旋回させることができる。
【００５５】
他方、本実施形態のサムタ−ン装置は、図４に示した如く、シャフト１３と固定側クラッチ部１６とを係合凹部１６ｅに落入する小球２９とによって連繋させてある。
【００５６】
詳しくは、図７、図８の部品図に示したように、シャフト１３には、その軸部に貫通穴１３ｂを設け、この貫通孔１３ｂの両孔口にはばね３０によって突出勢力を与えた小球２９が設けてある。
【００５７】
また、図９、図１０に示した部品図より分かる通り、固定側クラッチ部１６の下筒部１６ｃ内には、山状に切り込み形成した係合凹部１６ｅを設け、これらの係合凹部１６ｅにシャフト１３の小球２９が落入するようになっている。
【００５８】
このように固定側クラッチ部１６をシャフト１３と連繋させると、貫通孔１３ｂが縦向きとなる図３に示すシャフト１３の回転位置では、サムタ−ン１４が図１〜図３のように縦向きとなる。
したがって、貫通孔１３ｂが縦向きとなるシャフト１３の回転で施解錠機構が解錠すれば、サムタ−ン１４が縦向きとなるから、サムタ−ン１４の縦向き状態から解錠していることが分かる。
【００５９】
なお、この場合、貫通孔１３ｂが横向きとなるシャフト１３の回転で施錠となるから、サムタ−ン１４の横向き状態で施錠状態が分かる。
【００６０】
本実施形態では、サムタ−ン１４を板状体のものとしたので、上記した如く、サムタ−ン１４の縦向き（縦長形状）と横向き（横長形状）とによって解錠又は施錠の状態を判別することができ、また、操作し易いサムタ−ンとなる。
【００６１】
上記のように構成したサムタ−ン装置１０は、切換ノブ２０ａを左旋回操作して図１に示す防犯モ−ドの位置にセットすれば、切換レバ−２０の旋回により、その隆起部２０ｅが旋回する。
これによって、隆起部２０ｅが押動部１９ｂに乗り上るため、クラッチリング１９が押動され、この結果、図３に示すように、可動側クラッチ部１７を押しながら後退移動する。
【００６２】
したがって、可動側クラッチ部１７のクラッチ凹部１７ａから固定側クラッチ部１６のクラッチ片部１６ｄが抜き出るため、これらクラッチ部１６、１７からなるクラッチ部材が非連結となり、サムタ−ン１４とシャフト１３との連動系が断たれる。
【００６３】
この動作状態で防犯動作状態となり、サムタ−ン１４を回転操作しても固定側クラッチ部１６のみが回転し、サムタ−ン１４が空転する。
なお、固定側クラッチ部１６は係合凹部１６ｅに落入した小球２９によってシャフト１３と連繋状態となっているが、シャフト１３にはデッドボルト駆動部による負荷が加わっているため、小球２９が係合凹部１６ｅを脱係し、シャフト１３は回転しない。
【００６４】
また、上記のように防犯モ−ド位置にセットされると、既に述べたように、切換レバ−２０からロックボタン２３によってロックされるため、ロックボタン２３を押圧操作しないかぎり、通常モ−ド位置には旋回しない。（図６（Ｂ）参照）
【００６５】
この結果、扉外からサムターン１４を回転させて不正に解錠しようとしても、サムターン１４が空転するため解錠しないし、また、切換ノブ２０ａを通常モード位置に旋回操作する場合は、ロックボタン２３を押圧操作しながら行なうことになるため、防犯モードを不正に通常モードに切換えることもできなく、防犯性の高いサムターン装置となる。
【００６６】
上記した防犯モ−ドから通常モ−ドに切換える場合は、ロックボタン２３を押圧操作しながら切換ノブ２０ａを右旋回操作する。
ロックボタン２３を押圧操作すると、既に述べたように、切換レバ−２０に設けた係止片部２０ｆの係止が解放される。（図６（Ｃ）参照）
したがって、図１１に示すように、切換ノブ２０ａを通常モ−ド位置に旋回操作することができる。
【００６７】
これより、切換レバ−２０の旋回によって隆起部２０ｅがクラッチリング１９の切込部１９ｃ内に入り込むため、このクラッチリング１９がクラッチばね２５によって押動されている可動側クラッチ部１７と共に切換レバ−２０側に移動する。
【００６８】
この動作で、固定側クラッチ部１６のクラッチ片部１６ｄが可動側クラッチ部１７のクラッチ凹部１７ａに突入し、クラッチ部材が連結する。
なお、切換ノブ２０ａを通常モ−ド位置に旋回操作することによって、可動側クラッチ部１７が固定側クラッチ部１６方向に移動するが、このとき、クラッチ凹部１７ａがクラッチ片部１６ｄと位置ずれしているとき（小球２９が係合凹部１６ｅに連繋していない場合）には、サムタ−ン１４のその後の回転操作によってクラッチ凹部１７ａ内にクラッチ片部１６ｄが突入してクラッチ連結する。
【００６９】
したがって、図１２に示すように、サムタ−ン１４が固定側クラッチ部１６、可動側クラッチ部１７を介してシャフト１３に連結され、サムタ−ン１４の回転操作にしたがうシャフト１３の回転によって施解錠機構が施解錠する。
【産業上の利用可能性】
【００７０】
建物の扉などに設備させる施解錠機構のサムタ−ン装置として利用することができる。
【図面の簡単な説明】
【００７１】
【図１】本発明の一実施形態を示すサムタ−ン装置の正面図である。
【図２】上記サムタ−ン装置の側面図である。
【図３】図１上のＡ−Ａ線拡大断面図である。
【図４】ベ−スと可動側クラッチ部を取外し、シャフトを断面して示した上記サムタ−ン装置の拡大背面図である。
【図５】上記サムタ−ン装置の内部構成部品を示す分解斜視図である。
【図６】上記サムタ−ン装置に備えるロックボタンの動作を示す説明図で、図６（Ａ）は通常モ−ドから防犯モ−ドに切換えるときの動作、図６（Ｂ）は防犯モ−ドのロック動作、図６（Ｃ）はロック解除の動作を各々示す図である。
【図７】上記サムタ−ン装置に備えるシャフトの正面図である。
【図８】上記シャフトの側面図である。
【図９】上記サムタ−ン装置に備える固定側クラッチ部を示す断面図である。
【図１０】上記固定側クラッチ部の背面図である。
【図１１】防犯モ−ドから通常モ−ドに切換えた状態を示す図１同様のサムタ−ン装置の正面図である。
【図１２】通常モ−ドの動作を示す図３同様の断面図である。
【符号の説明】
【００７２】
１０  サムタ−ン装置
１３  シャフト
１３ａ  摺動凸部
１４  サムタ−ン
１６  固定側クラッチ部
１６ｄ  クラッチ片部
１６ｅ  係合凹部
１７  可動側クラッチ部
１７ａ  クラッチ凹部
１７ｂ  摺動凹溝
１９  クラッチリング
１９ｂ  押動部
１９ｃ  切込部
２０  切換レバ−
２０ａ  切換ノブ
２０ｅ  隆起部
２０ｆ  係止片部
２３  ロックボタン
【図１】
0004702682.tif 000002
【図２】
0004702682.tif 000003
【図３】
0004702682.tif 000004
【図４】
0004702682.tif 000005
【図５】
0004702682.tif 000006
【図６】
0004702682.tif 000007
【図７】
0004702682.tif 000008
【図８】
0004702682.tif 000009
【図９】
0004702682.tif 000010
【図１０】
0004702682.tif 000011
【図１１】
0004702682.tif 000012
【図１２】
0004702682.tif 000013